(57)【要約】【課題】空気調和機用と換気装置用の孔の位置が正規の位置より多少ずれていても調整して取付可能にできる空気調和機能付換気装置を提供することを目的とする。【解決手段】換気ユニット１を収納できる形状で壁面側に設けられる装置本体３の前方に重ね合わせて固定される空気調和ユニット４と、換気ユニット１が取り付けられるとともに装置本体３を支持するように壁面に設けられる換気ユニット取付板５と、換気ユニット取付板５と装置本体３の相対位置を調整する調整金具６とを備え、換気ユニット取付板５に調整金具６を介して上下あるいは左右方向に位置調整された装置本体３に空気調整ユニット４を取り付ける構成とすることにより、空気調和機用と換気装置用の孔の位置がずれているても調整して取り付けられる空気調和機能付換気装置を得られる。【選択図】図１
2006242445.tif 000002
【特許請求の範囲】
【請求項１】
換気ユニットを収納できる形状で壁面側に設けられる装置本体と、この装置本体の前方に重ね合わせ固定される空気調和ユニットと、前記換気ユニットが取り付けられるとともに、前記装置本体を支持するように壁面に固定される換気ユニット取付板と、この換気ユニット取付板と前記装置本体との相対位置を調整する調整金具とを備え、前記換気ユニット取付板に前記調整金具を介して上下あるいは左右方向に位置調整されて固定された装置本体に、前記空気調和ユニットを取り付ける構成とした空気調和機能付換気装置。
【請求項２】
換気ユニット取付板および調整金具に縦方向に複数の取付ねじの挿入孔およびねじ螺合部を設けた請求項１記載の空気調和機能付換気装置。
【請求項３】
調整金具に装置本体を左右方向に移動自在な係止部を設けた請求項１記載の空気調和機能付換気装置。
【請求項４】
装置本体内に設けられる換気ユニットを空気調和ユニットの下方に出し入れ自在に設け、換気ユニット取付板に下面に傾斜面を設けた傾斜突起部を設け、換気ユニットを上方の所定位置に移動したときに、前記換気ユニット取付板に設けた傾斜突起部の傾斜面に係合する係合部を換気ユニットに設けた請求項１〜３記載の空気調和機能付換気装置。
【請求項５】
換気ユニット取付板に、フランジ部を介して設けられる屋外と連通する換気口と、この換気口の上方部の下面に傾斜面を有し略水平に設けられる傾斜突起部と、この傾斜突起部に係合するように換気ユニットに設けた係合部とを備え、換気ユニットを上方に移動したときに換気ユニットの係合部がフランジ部に設けた傾斜突起部の傾斜面に係合し、前記換気口の周辺部に前記換気ユニットを密接する構成とした請求項１〜３記載の空気調和機能付換気装置。
【発明の詳細な説明】
【技術分野】
【０００１】
本発明は空気調和機能と常時換気機能をもたらす空気調和機能付換気装置に関する。
【背景技術】
【０００２】
従来、この種の空気調和機能付換気装置の一例としてスプリット形空気調和機の換気装置が知られている（例えば、特許文献１参照）。
【０００３】
以下、そのスプリット形空気調和機の換気装置について図１１および図１２を参照しながら説明する。
【０００４】
図に示すように、換気装置付空気調和機１０１の室内ユニット１０２に換気ユニット１０３を設け、ケーシング１０４内に熱交換器１０５と排気用の横流れファン１０６と吸気用の横流れファン１０７と空気を案内するための発泡スチロールで形成した導入室１０８、１０９と換気を導びく排気管１１０を設け、ケーシング１０４の下面には吸込孔１１１と、上面には空気吹出孔１１２を設け、室内ユニット１０２には室外ユニット（図示せず）と接続される冷媒パイプ１１３を壁面に設けた貫通孔１１４を介して構成している。
【特許文献１】特開平３−１９５８３４号公報（３頁、第１図、第２図）
【発明の開示】
【発明が解決しようとする課題】
【０００５】
このような従来のスプリット形空気調和機の換気装置では、換気ユニット１０３に設けられる排気管１１０の挿入されるように壁面に設けられる換気孔１１５と、室内ユニット１０２の冷媒パイプ１１３の引き出し用として壁面に設けられる貫通孔１１４の位置が正規の位置から少しずれた場合には、換気ユニット１０３と室内ユニット１０２がうまく取付けできないという課題があり、換気孔１１５と冷媒パイプ１１３の貫通孔１１４の位置が多少ずれても空調ユニットと換気ユニットを接合して取り付けられるようにすることが要求されている。
【０００６】
本発明は、上記課題を解決するもので、空気調和機用と換気装置用の孔の位置が多少ずれていても取付可能な空気調和機能付換気装置を提供することを目的としている。
【課題を解決するための手段】
【０００７】
本発明の空気調和機能付換気装置は上記目的を達成するために、換気ユニットを収納できる形状で壁面側に設けられる装置本体と、この装置本体の前方に重ね合わせ固定される空気調和ユニットと、前記換気ユニットが取り付けられるとともに、前記装置本体を支持するように壁面に固定される換気ユニット取付板と、この換気ユニット取付板と前記装置本体との相対位置を調整する調整金具とを備え、前記換気ユニット取付板に前記調整金具を介して上下あるいは左右方向に位置調整されて固定された装置本体に前記空気調和ユニットを取り付ける構成としたものである。
【０００８】
この手段により、壁面に設けられる空気調和機用の配管孔と換気孔の位置が正規の位置より多少ずれても取付可能な空気調和機能付換気装置が得られる。
【０００９】
また、他の手段は、換気ユニット取付板および調整金具に縦方向に複数の固定ねじ挿入孔およびねじ螺合部を設けたものである。
【００１０】
この手段により、縦方向の位置が簡単に調整できる空気調和機能付換気装置が得られる。
【００１１】
また、他の手段は、調整金具に装置本体を左右方向に移動自在な係止部を設けたものである。
【００１２】
この手段により、簡単に横方向の取付位置が調整できる空気調和機能付換気装置が得られる。
【００１３】
また、他の手段は、装置本体内に設けられる換気ユニットを空気調和ユニットの下方に出し入れ自在に設け、換気ユニット取付板に下面に傾斜面を設けた傾斜突起部を設け、換気ユニットを上方の所定位置に移動したときに、前記換気ユニット取付板に設けた傾斜突起部の傾斜面に係合する係合部を換気ユニットに設けたものである。
【００１４】
この手段により、空気洩れがなくなり有効的な換気量を確保できる空気調和機能付換気装置が得られる。
【００１５】
また、他の手段は、換気ユニット取付板に、フランジ部を介して設けられる屋外と連通する換気口と、この換気口の上方部に下面に傾斜面を有し略水平に設けられる傾斜突起部と、この傾斜突起部に係合するように換気ユニットに設けた係合部とを備え、換気ユニットを上方に移動したときに換気ユニットの係合部がフランジ部に設けた傾斜突起部の傾斜面に係合し、前記換気口の周辺部に前記換気ユニットを密接する構成としたものである。
【００１６】
この手段により、換気口からの空気洩れが防止でき、有効的な換気量を確保できる空気調和機能付換気装置が得られる。
【発明の効果】
【００１７】
本発明によれば空気調和機用の配管孔と換気孔の位置が正規の位置より多少ずれていても取付可能という効果のある空気調和機能付換気装置を提供できる。
【００１８】
また、縦方向の位置が簡単に調整できる空気調和機能付換気装置を提供できる。
【００１９】
また、横方向の位置が簡単に調整できる空気調和機能付換気装置を提供できる。
【００２０】
また、空気洩れを防止でき、有効的な換気量を確保できる空気調和機能付換気装置を提供できる。
【発明を実施するための最良の形態】
【００２１】
本発明の請求項１記載の発明は、換気ユニットを収納できる形状で壁面側に設けられる装置本体と、この装置本体の前方に重ね合わせ固定される空気調和ユニットと、前記換気ユニットが取り付けられるとともに、前記装置本体を支持するように壁面に固定される換気ユニット取付板と、この換気ユニット取付板と、前記装置本体との相対位置を調整する調整金具とを備え、前記換気ユニット取付板に前記調整金具を介して上下あるいは左右方向に位置調整されて固定された装置本体に、前記空気調和ユニットを取り付けるものであり、壁面に設けられる空気調和機用の配管孔と換気孔の位置が正規の位置よりずれている場合には、換気ユニット取付板と装置本体との相対位置を調整金具を使用して位置調整を行うことにより、空気調和機用の配管孔に対する換気孔の位置のずれの調整を行うことができ、装置本体に空気調和ユニットを重ね合わせて取付けが可能になるという作用を有する。
【００２２】
また、請求項２記載の発明は、換気ユニット取付板および調整金具に縦方向に複数の固定ねじ挿入孔およびねじ螺合部を設けたものであり、壁面に設けられる空気調和機用の配管孔と換気孔の位置が上下にずれている場合には、換気ユニット取付板に設けた取付板側調整金具に縦方向に複数設けたねじ螺合部に対する装置本体側調整金具の縦方向に複数設けたねじ挿入孔との位置を上または下にずらして固定ねじで取り付けることにより上下の位置のずれを簡単に調整できるという作用を有する。
【００２３】
また、請求項３記載の発明は、調整金具に装置本体を左右方向に移動自在な係止部を設けたものであり、壁面に設けられる空気調和機用の配管孔と換気孔の位置が左右にずれている場合には、調整金具に設けた係止部上を装置を左右に移動して左右にずれている位置を簡単に調整できるという作用を有する。
【００２４】
また、請求項４記載の発明は、装置本体内に設けられる換気ユニットを空気調和ユニットの下方に出し入れ自在に設け、換気ユニット取付板に下面に傾斜面を設けた傾斜突起部を設け、換気ユニットを上方の所定位置に移動したときに、前記換気ユニット取付板に設けた傾斜突起部の傾斜面に係合する係合部を換気ユニットに設けたものであり、換気ユニットを上方の所定位置に移動したときには、換気ユニットに設けた係合部が換気ユニット取付板に設けた傾斜突起部の内面に形成された傾斜面に沿い、換気ユニットは換気ユニット取付板側に移動し換気ユニットは換気ユニット取付板に密接した位置で換気ユニットは別個に設けた固定手段により保持されることとなり、換気ユニットと換気ユニット取付板との間に、隙間があき空気洩れを生じることがなくなり有効的な換気量を確保できるという作用を有する。
【００２５】
また、請求項５記載の発明は、換気ユニット取付板にフランジ部を介して設けられ、屋外と連通する換気口と、この換気口の上方部に下面に傾斜面を有し、略水平に設けられる傾斜突起部と、この傾斜突起部に係合するように換気ユニットに設けた係合部とを備え、換気ユニットを上方に移動したときに換気ユニットの係合部がフランジ部に設けた傾斜突起部の傾斜面に係合し、前記換気口の周辺部に前記換気ユニットを密接する構成としたものであり、換気ユニットを上方の所定位置に移動したときには、換気ユニットに設けた係合部が換気ユニット取付板のフランジ部を介して設けられた換気口の上方部に設けた傾斜突起部の内面に形成された傾斜面に沿い換気ユニットは換気ユニット取付板側に移動し、換気ユニットは換気口の周辺部のフランジ部に密接した位置で換気ユニットは別に設けた固定手段により保持されることとなり、換気口の周辺部から換気ユニットと換気ユニット取付板との間に空気が洩れることがなくなり有効的な換気量を確保できるという作用を有する。
【００２６】
以下、本発明の実施の形態について図面を参照しながら説明する。
【００２７】
（実施の形態１）
図１〜図８に示すように、換気ユニットを収納できる形状で壁面２側に設けられる前面にパネル３ａを有する装置本体３と、この装置本体３の前方に重ね合わせ固定される空気調和ユニット４と、換気ユニット１が取り付けられるとともに、装置本体３を支持するように壁面２に固定される換気ユニット取付板５と、この換気ユニット取付板５と装置本体３との相対位置を調整する調整金具６とを備え、調整金具６は換気ユニット取付板５の両端部に縦方向に複数のねじ螺合孔７を設けた取付板側調整金具８と、この取付板側調整金具８のねじ螺合孔７に合致させる縦方向の複数の取付ねじ９の挿入孔１０を設けた装置本体側調整金具１１に装置本体３を左右方向に移動可能に係止する係止部１２を設ける。
【００２８】
また、装置本体３内に設けられる換気ユニット１は換気ユニット取付板５に設けたスライドレール１３に係合してスライドするスライド機構１４を換気ユニット１に設け、スライド機構１４には換気ユニット１を所定位置迄上昇させたときに換気ユニット１を保持するために固定する固定ねじ１５を設け、換気ユニット１は空気調和ユニット４の下方に出し入れ自在に設け、換気ユニット取付板５には下面に傾斜面１６を設けた傾斜突起部１７を設け、換気ユニット１を上方の所定位置に移動したときに、換気ユニット取付板５に設けた傾斜突起部１７の傾斜面１６に係合する係合部１８を換気ユニット１に設け構成する。
【００２９】
上記構成において、壁面２に設けられる換気孔１９と空気調和ユニット４の配管孔２０の位置が正規の位置から上下にずれている場合には、換気ユニット取付板５に設けた取付板側調整金具８に縦方向に複数設けたねじ螺合孔７に対する装置本体側調整金具１１に縦方向に複数設けた取付ねじ９の挿入孔１０の位置を上または下にずらして取付ねじ９で取り付ける。
【００３０】
このとき、装置本体３の位置を上にずらすときには図６に示すように調整し、下にずらしたいときには図７に示すように調整する。
【００３１】
また、壁面２に設けられる換気孔１９と空気調和ユニット４の配管孔２０の位置が左右にずれている場合には、換気ユニット取付板５の取付板側調整金具８に取り付けられた装置本体側調整金具１１に設けた係止部１２上に装置本体３に設けた摺動部２１を載置し装置本体３を移動自在とし、ずれが調整された位置で固定手段により固定し、換気孔１９と空気調和ユニット４の配管孔２０の左右の位置のずれを調整し、調整した状態で壁面２に取り付けられた装置本体３の前方に空気調和ユニット４を重ね合わせ取り付ける。
【００３２】
このように位置調整された装置本体３および空気調和ユニット４を運転すると、空気調和ユニット４により室内の空気が循環され、空気調和ユニット４内に設けた熱交換手段（図示せず）により熱交換された冷風または温風が送風されて冷房または暖房が行なわれ、一方、装置本体３では内部に設けた換気ユニット１により、汚染されている室内の空気は屋外に排気され、新鮮な外気が室内に給気されて換気が行なわれる。また、空気調和ユニット４の運転を停止し、換気ユニット１のみを運転して常時換気を行なうことができる。
【００３３】
このように、換気孔１９と空気調和ユニット４の配管孔２０の位置が正規の位置よりずれている場合においても、上下および左右に位置を調整して装置本体３および空気調和ユニット４を取り付けることができるものである。
【００３４】
また、換気運転が進み換気ユニット１の掃除またはメンテナンスを行うときには、換気ユニット１を保持している固定ねじ１５をゆるめ、換気ユニット１を装置本体３より、スライドレール１３とスライド機構１４を介して下降し、空気調和ユニット４より下方位置に引き出して換気ユニット１の掃除またはメンテナンスを行うこととなり、空気調和ユニット４を取り外さないで掃除またはメンテナンスを行なうことができる。
【００３５】
また、掃除またはメンテナンスを行った換気ユニット１を装置本体３内にセットするときには、スライドレール１３とスライド機構１４を介して、換気ユニット１を上昇させ所定位置に移動したときに、換気ユニット１に設けた係合部１８を換気ユニット取付板５に設けた傾斜突起部１７の下面に形成された傾斜面１６に当接させ、傾斜面１６により換気ユニット１を換気ユニット取付板５側に案内させ、換気ユニット１が換気ユニット取付板５に密着した状態で固定ねじ１５により換気ユニット１を装置本体３内に保持し取り付ける。このことにより、換気ユニット１と換気ユニット取付板５間に隙間がなくなり、換気流が洩れることが防止され、換気に有効な換気量を確保することができる。
【００３６】
（実施の形態２）
図９および図１０に示すように、換気ユニット取付板５Ａにフランジ部２２を介して設けられる換気口２３と、換気口２３の上方部に下面に傾斜面１６Ａを有し、略水平に設けられる傾斜突起部１７Ａと、傾斜突起部１７Ａに係合するように、換気ユニット１Ａに設けた係合部１８Ａとを備え、換気ユニット１Ａを上方に移動したときに換気ユニット１Ａの係合部１８Ａがフランジ部２２に設けた傾斜突起部１７Ａの傾斜面１６Ａに係合し換気口２３の周辺部２４に換気ユニット１Ａを密接する構成とする。
【００３７】
上記構成において、換気ユニット１Ａを上方の所定位置に移動したときには換気ユニット１Ａに設けた係合部１８Ａが換気ユニット取付板５Ａのフランジ部２２を介して設けられた換気口２３の上方部に設けた傾斜突起部１７Ａの内面に形成された傾斜面１６Ａに沿い換気ユニット１Ａは換気ユニット取付板５Ａ側に移動し、換気ユニット１Ａは換気口２３の周辺部２４のフランジ部２２に密接した位置で換気ユニット１Ａは固定ねじ１５に保持されることとなり、換気口２３の周辺部２４のフランジ部２２から換気ユニット１Ａと換気ユニット取付板５Ａとの間に換気空気が洩れることが防止され、有効な換気量を確保できることとなる。
【産業上の利用可能性】
【００３８】
調整金具を用いて容易に接合される２つの部材間で上下あるいは左右の位置調整をする必要がある場合の接合の用途に適用できる。
【図面の簡単な説明】
【００３９】
【図１】本発明の実施の形態１の空気調和機能付換気装置の分解斜視図
【図２】同空気調和機能付換気装置の調整金具の斜視図
【図３】同換気ユニットを引き出した状態を示す斜視図
【図４】同換気ユニット取付板の傾斜突起部を示す斜視図
【図５】同換気ユニット取付板の傾斜突起部と換気ユニットの係合部を示す断面図
【図６】同装置本体の位置を上方位置に調整したときの調整金具の正面図
【図７】同装置本体の位置を下方位置に調整したときの調整金具の正面図
【図８】（ａ）同装置本体の位置を右側に調整したときの装置本体の概略図（ｂ）同装置本体の位置を左側に調整したときの装置本体の概略図
【図９】本発明の実施の形態２の換気ユニット取付板の換気口部分を示す斜視図
【図１０】同換気ユニット取付板の傾斜突起部と換気ユニットの係合部を示す断面図
【図１１】従来のスプリット形空気調和機の換気装置の斜視図
【図１２】同スプリット形空気調和機の換気装置の断面図
【符号の説明】
【００４０】
１      換気ユニット
１Ａ    換気ユニット
２      壁面
３      装置本体
４      空気調和ユニット
５      換気ユニット取付板
５Ａ    換気ユニット取付板
６      調整金具
７      ねじ螺合孔
８      取付板側調整金具
９      取付ねじ
１０    挿入孔
１１    装置本体側調整金具
１２    係止部
１６    傾斜面
１６Ａ  傾斜面
１７    傾斜突起部
１７Ａ  傾斜突起部
１８    係合部
１８Ａ  係合部
２１    摺動部
２２    フランジ部
２３    換気口
２４    周辺部
【図１】
2006242445.tif 000003
【図２】
2006242445.tif 000004
【図３】
2006242445.tif 000005
【図４】
2006242445.tif 000006
【図５】
2006242445.tif 000007
【図６】
2006242445.tif 000008
【図７】
2006242445.tif 000009
【図８】
2006242445.tif 000010
【図９】
2006242445.tif 000011
【図１０】
2006242445.tif 000012
【図１１】
2006242445.tif 000013
【図１２】
2006242445.tif 000014